(57)【要約】【課題】回線制御装置１、複数の無線端末装置１１−１〜１１−２、複数の非常送無線基地局装置２−１〜２−２を有する無線通信システムで、適切な非常送無線基地局装置を選択する。【解決手段】無線端末装置は通信開始時に所定の通信開始信号を無線により送信する。非常送無線基地局装置は、通信開始信号を受信し、受信された通信開始信号に基づいてエラーレートを検出し、検出されたエラーレートの情報を回線制御装置へ送信する。回線制御装置は、当該情報を受信し、受信された情報に基づいてエラーレートが低い方を上位とした順序で複数の非常送無線基地局装置に関する情報を記憶するテーブルを作成し、作成されたテーブルの内容に基づいて最も上位の情報に対応した非常送無線基地局装置により無線端末装置との通信を開始するように通信チャネルの接続を制御する。【選択図】  図１
2011071703.tif 000002
【特許請求の範囲】
【請求項１】
回線制御装置と複数の無線端末装置と複数の非常送無線基地局装置を有し、前記無線端末装置と前記非常送無線基地局装置が無線により通信し、前記回線制御装置が通信チャネルの接続を制御する無線通信システムにおいて、
前記無線端末装置は、通信開始時に所定の通信開始信号を無線により送信する通信開始信号送信手段を備え、
前記非常送無線基地局装置は、前記無線端末装置から無線により送信された通信開始信号を受信する通信開始信号受信手段と、前記通信開始信号受信手段により受信された通信開始信号に基づいてエラーレートを検出するエラーレート検出手段と、前記エラーレート検出手段により検出されたエラーレートの情報を前記回線制御装置へ送信する受信情報送信手段と、を備え、
前記回線制御装置は、前記非常送無線基地局装置から送信された情報を受信する情報受信手段と、前記情報受信手段により受信された情報に基づいてエラーレートが低い方を上位とした順序で複数の非常送無線基地局装置に関する情報を記憶するテーブルを作成するテーブル作成手段と、前記テーブル作成手段により作成されたテーブルの内容に基づいて最も上位の情報に対応した非常送無線基地局装置により前記無線端末装置との通信を開始するように通信チャネルの接続を制御する回線制御手段と、を備えた、
ことを特徴とする無線通信システム。
【発明の詳細な説明】
【技術分野】
【０００１】
本発明は、非常送無線基地局装置と無線端末装置が無線通信する無線通信システムに関し、特に、適切な非常送無線基地局装置を選択する無線通信システムに関する。
【背景技術】
【０００２】
従来の無線通信システムでは、通話開始のために無線端末装置（端末装置）が発信したときには、同一の周波数で運用されている複数の無線基地局装置（基地局装置）がそれを同時に受信して、各無線基地局装置がその受信電界を回線制御装置へ通知し、回線制御装置が通知された受信電界の強弱に基づいて無線端末装置が在圏する無線基地局装置を推定し、当該無線基地局装置で通話回線を開設している。
【先行技術文献】
【特許文献】
【０００３】
【特許文献１】特開２００６−０６７２６２号公報
【特許文献２】特開２００６−２２２９９８号公報
【特許文献３】特開２００４−２７４４３２号公報
【特許文献４】特開２００５−１４２６２０号公報
【特許文献５】特開２００８−２３６６９７号公報
【発明の概要】
【発明が解決しようとする課題】
【０００４】
しかしながら、上記のような無線通信システムでは、受信電界の強弱に基づいて無線基地局装置を選択するときに、例えば、周囲環境の影響で一時的に無線端末装置からの受信電界が変動することにより、適切な無線基地局装置を選択することができない場合がある、といった問題があった。
【０００５】
本発明は、このような従来の事情に鑑み為されたもので、非常送無線基地局装置と無線端末装置が無線通信するに際して、適切な非常送無線基地局装置を選択することができる無線通信システムを提供することを目的とする。具体例として、上記のような一時的な受信電界の変動による無線基地局装置の選択の誤りを軽減し、適切な無線基地局装置を選択することができる基地局選択方式を実現する。
【課題を解決するための手段】
【０００６】
上記目的を達成するため、本発明では、回線制御装置と複数の無線端末装置と複数の非常送無線基地局装置を有し、前記無線端末装置と前記非常送無線基地局装置が無線により通信し、前記回線制御装置が通信チャネルの接続を制御する無線通信システムにおいて、次のような構成とした。
すなわち、前記無線端末装置では、通信開始信号送信手段が、通信開始時に、所定の通信開始信号を無線により送信する。
前記非常送無線基地局装置では、通信開始信号受信手段が、前記無線端末装置から無線により送信された通信開始信号を受信する。エラーレート検出手段が、前記通信開始信号受信手段により受信された通信開始信号に基づいて、エラーレートを検出する。受信情報送信手段が、前記エラーレート検出手段により検出されたエラーレートの情報を前記回線制御装置へ送信する。
前記回線制御装置では、情報受信手段が、前記非常送無線基地局装置から送信された情報を受信する。テーブル作成手段が、前記情報受信手段により受信された情報に基づいて、エラーレートが低い方を上位とした順序で複数の非常送無線基地局装置に関する情報を記憶するテーブルを作成する。回線制御手段が、前記テーブル作成手段により作成されたテーブルの内容に基づいて、最も上位の情報に対応した非常送無線基地局装置により前記無線端末装置との通信を開始するように通信チャネルの接続を制御する。
【０００７】
従って、非常送無線基地局装置と無線端末装置が無線通信するに際して、適切な非常送無線基地局装置を選択することができ、例えば、従来の課題であった一時的な受信電界の変動による無線基地局装置の選択の誤りを軽減することができる。
【０００８】
ここで、無線通信システムや、回線制御装置、無線端末装置、非常送無線基地局装置などの各装置としては、それぞれ、種々な構成のものが用いられてもよい。
また、無線端末装置や非常送無線基地局装置などの各装置の数としては、それぞれ、種々な数が用いられてもよい。
また、通信開始信号としては、種々な形式のものが用いられてもよく、例えば、エラーレートを検出するためのデータパターン（ビットパターン）を有する情報が含まれてもよい。
また、エラーレートの情報としては、種々なものが用いられてもよく、例えば、誤り（エラー）の度合いが把握可能であればよい。
【０００９】
また、各非常送無線基地局装置と回線制御装置とは、例えば、有線で通信可能に接続されてもよく、或いは、無線で通信可能に接続されてもよい。
また、テーブルに記憶される非常送無線基地局装置に関する情報としては、種々な情報が用いられてもよく、例えば、各非常送無線基地局装置を識別する情報が含まれる。
また、回線制御装置が最も上位の情報に対応した非常送無線基地局装置により無線端末装置との通信を開始するように通信チャネルの接続を制御する態様としては、例えば、該当する非常送無線基地局装置により通信開始信号を発した無線端末装置との通信を開始するように、当該非常送無線基地局装置を制御信号などにより制御するような態様を用いることができる。
【００１０】
以下で、本発明に関して更に構成例を示す。
一構成例として、前記非常送無線基地局装置では、前記通信開始信号受信手段により受信された通信開始信号に基づいて受信電界を検出する受信電界検出手段を備え、前記受信情報送信手段は前記受信電界検出手段により検出された受信電界の情報も前記回線制御装置へ送信する。
また、前記回線制御装置では、前記テーブル作成手段は、エラーレートが同一である場合には、受信電界が高い方を上位とする。
【００１１】
従って、複数の非常送無線基地局装置についてエラーレートが同一である場合においても、受信電界に基づいて順位付けを行うことができる。
ここで、エラーレートが同一であるものとしては、例えば、エラーレートが最も低い値のみに適用されてもよく、或いは、他のエラーレートの値にも適用されてもよい。
また、受信電界の情報としては、例えば、回数や時間などによる平均的な受信電界（平均受信電界）の情報が用いられてもよい。
【００１２】
一構成例として、前記回線制御装置では、前記複数の非常送無線基地局装置のそれぞれについて設定された識別番号の情報を記憶する識別番号記憶手段を備える。そして、一例として、前記テーブル作成手段は、エラーレートが同一である場合には、識別番号が小さい方を上位とする（又は、他の構成例として、識別番号が大きい方を上位とする）。他の一例として、前記テーブル作成手段は、エラーレート及び受信電界が同一である場合には、識別番号が小さい方を上位とする（又は、他の構成例として、識別番号が大きい方を上位とする）。
【００１３】
従って、複数の非常送無線基地局装置について、エラーレートが同一である場合や、或いは、エラーレート及び受信電界が同一である場合においても、識別番号に基づいて順位付けを行うことができる。
ここで、エラーレートが同一であるものや、受信電界が同一であるものとしては、例えば、エラーレートが最も低い値や受信電界が最も高い値のみに適用されてもよく、或いは、他の値にも適用されてもよい。
また、識別番号としては、種々なものが用いられてもよく、例えば、複数の非常送無線基地局装置の通し番号などを用いることができる。
【００１４】
一構成例として、前記回線制御装置では、前記複数の非常送無線基地局装置のそれぞれについて設定された設置場所の情報を記憶する設置場所記憶手段を備える。そして、一例として、前記テーブル作成手段は、エラーレートが同一である場合には、同一の設置場所に存在する非常送無線基地局装置の数が大きい方を上位とする。他の一例として、前記テーブル作成手段は、エラーレート及び受信電界が同一である場合には、同一の設置場所に存在する非常送無線基地局装置の数が大きい方を上位とする。
【００１５】
従って、複数の非常送無線基地局装置について、エラーレートが同一である場合や、或いは、エラーレート及び受信電界が同一である場合においても、設置場所に基づいて順位付けを行うことができる。
ここで、エラーレートが同一であるものや、受信電界が同一であるものとしては、例えば、エラーレートが最も低い値や受信電界が最も高い値のみに適用されてもよく、或いは、他の値にも適用されてもよい。
また、非常送無線基地局装置の設置場所の情報としては、種々なものが用いられてもよく、例えば、現実の地図上に複数の区切られたエリアを設けて、各エリアを各設置場所とみなすような態様を用いることができる。
【００１６】
また、同一の設置場所に存在する非常送無線基地局装置の数を検出する場合に、更に、他の条件も加味することも可能であり、一例として、対象となっている無線端末装置からの通信開始信号を受信した非常送無線基地局装置（のみ）の数を検出する態様や、或いは、対象となっている無線端末装置からの通信開始信号の受信電界が所定の閾値以上である（又は、所定の閾値を超える）非常送無線基地局装置（のみ）の数を検出する態様などを用いることができる。
【００１７】
また、本発明は、方法の発明として捉えることも可能であり、各装置が各手段により各処理を行う方法を提供することができる。
一例として、回線制御装置と複数の無線端末装置と複数の非常送無線基地局装置を有し、前記無線端末装置と前記非常送無線基地局装置が無線により通信し、前記回線制御装置が通信チャネルの接続を制御する無線通信システムにおける無線通信方法において、前記無線端末装置は、（通信開始信号送信手段により）通信開始時に所定の通信開始信号を無線により送信し、前記非常送無線基地局装置は、（通信開始信号受信手段により）前記無線端末装置から無線により送信された通信開始信号を受信し、（エラーレート検出手段により）前記（通信開始信号受信手段により）受信された通信開始信号に基づいてエラーレートを検出し、（受信情報送信手段により）前記（エラーレート検出手段により）検出されたエラーレートの情報を前記回線制御装置へ送信し、前記回線制御装置は、（情報受信手段により）前記非常送無線基地局装置から送信された情報を受信し、（テーブル作成手段により）前記（情報受信手段により）受信された情報に基づいてエラーレートが低い方を上位とした順序で複数の非常送無線基地局装置に関する情報を記憶するテーブルを作成し、（回線制御手段により）前記（テーブル作成手段により）作成されたテーブルの内容に基づいて最も上位の情報に対応した非常送無線基地局装置により前記無線端末装置との通信を開始するように通信チャネルの接続を制御する。
【発明の効果】
【００１８】
以上説明したように、本発明に係る無線通信システムによると、非常送無線基地局装置と無線端末装置が無線通信するに際して、適切な非常送無線基地局装置を選択することができ、例えば、従来の課題であった一時的な受信電界の変動による無線基地局装置の選択の誤りを軽減することができる。
【図面の簡単な説明】
【００１９】
【図１】本発明の一実施例に係る無線通信システムの構成例を示す図である。
【図２】本発明の第１実施例に係る（ａ）は通話開始時における無線回線のフォーマットの一例を示す図であり、（ｂ）は無線端末装置の送信状態の一例を示す図である。
【図３】本発明の第２実施例に係る回線制御装置内の判定テーブルの一例を示す図である。
【図４】本発明の第２実施例に係る回線制御装置内の設置場所テーブルの一例を示す図である。
【図５】本発明の第２実施例に係る判定テーブルの作成条件の一例を示す図である。
【図６】本発明の第２実施例に係る判定テーブルの使用例を示す図である。
【発明を実施するための形態】
【００２０】
本発明に係る実施例を図面を参照して説明する。
まず、非常送無線基地局装置について説明する。
例えば、ＡＲＩＢ  ＳＴＤ−Ｔ６１規格では、ＦＤＭＡ（Ｆｒｅｑｕｅｎｃｙ  Ｄｉｖｉｓｉｏｎ  Ｍｕｌｔｉｐｌｅ  Ａｃｃｅｓｓ）方式（ＭＣＡ（Ｍｕｌｔｉ  Ｃｈａｎｎｅｌ  Ａｃｃｅｓｓ）システム）とＳＣＰＣ（Ｓｉｎｇｌｅ  Ｃｈａｎｎｅｌ  Ｐｅｒ  Ｃａｒｒｉｅｒ）方式（通話チャネル）の２つの方式がある。
【００２１】
更に、ＳＣＰＣ方式（通話チャネル）には常送方式と非常送方式があり、常送方式を採用した無線基地局装置（常送無線基地局装置）では、通話チャネルを用いて、常時、無線端末装置（例えば、移動局装置）と通信を行って同期を取っている。一方、非常送方式を採用した無線基地局装置（非常送無線基地局装置）では、例えば要求があったときだけ常送方式とは異なる通話チャネルを用いて無線端末装置（例えば、移動局装置）と通信を行って同期を取るといったように、必要なときだけ電波を送信するため、無線端末装置自体がどの時点にいるのかを把握することはできない。
【００２２】
例えば、デジタルを用いる場合には、周波数が１つであるため、複数の無線基地局装置の間の混信により同期を取ることができないことが生じることから、非常送方式を用いる必要がある（一例として、消防無線においても、同様な問題がある）。
なお、本実施例では、非常送無線基地局装置を有する無線通信システムを例として説明するが、例えば、常送方式（常送無線基地局装置）と非常送方式（非常送無線基地局装置）が混在する無線通信システムに適用することも可能である。
【００２３】
図１には、本発明の一実施例に係る無線通信システムの構成例を示してある。
本例の無線通信システムは、回線制御装置１、複数の非常送無線基地局装置２−１〜２−２、回線制御装置１と各非常送無線基地局装置２−１〜２−２とを接続する複数のアプローチ線３−１〜３−２、複数の無線端末装置（例えば、移動局装置）１１−１〜１１−２、複数の指令端末装置（有線端末装置）２１−１〜２１−２、回線制御装置１と各指令端末装置２１−１〜２１−２とを接続する複数の有線回線２２−１〜２２−２を有している。
【００２４】
また、図１には、各非常送無線基地局装置２−１〜２−２の通信ゾーン４−１、４−２を示してあり、また、各非常送無線基地局装置２−１〜２−２により形成される無線回線（無線チャネル）５−１、５−２を示してある。
ここで、非常送無線基地局装置の数や、無線端末装置の数や、指令端末装置の数としては、それぞれ、図１では２つのみを示したが、種々な数（例えば、更に多数）が用いられてもよい。本例では、非常送無線基地局装置は多数存在するとする。
本実施例では、第１の非常送無線基地局装置２−１と第２の非常送無線基地局装置２−２は、同じ周波数で運用されている。
【実施例１】
【００２５】
本発明の第１実施例を説明する。
図１に示される無線通信システムを参照して説明する。
図２には、無線端末装置１１−１、１１−２による通話開始時における無線回線のフォーマットの一例を示してある。
図２（ａ）には、通話開始信号（通信開始信号）のフォーマットの一例を示してある。
本例の通話開始信号は、リニアライザ用プリアンブル及びバースト過渡応答用ガードタイムであるＬＰ＋Ｒ（４０ビット）、プリアンブルであるＰｂ（１６ビット）、エラーレート算出用パターン１であるＰａｔｅｒｎ１（７２ビット）、無線情報チャネル（ＲＩＣＨ）であるＲＩ（５６ビット）、同期ワードであるＳＷ（３２ビット）、エラーレート算出用パターン２であるＰａｔｅｒｎ２（５６ビット）、パラメータ情報チャネルであるＰＩＣＨ（１０４ビット）、ガードタイムであるＧ（８ビット）、から構成されている。
【００２６】
なお、Ｐａｔｅｒｎ１及びＰａｔｅｒｎ２は本例で追加したものであり、他は規格に依っている。
また、Ｐａｔｅｒｎ１及びＰａｔｅｒｎ２のデータは、例えば、予め、各無線端末装置１１−１〜１１−２と各非常送無線基地局装置２−１〜２−２のそれぞれに、共通なものが設定されてメモリに記憶されている。
【００２７】
図２（ｂ）には、無線端末装置の送信状態の一例を示してある。
本例では、１フレームは４０ｍｓの長さとなっている。
また、フレーム１〜フレーム６で通話開始信号が送信され、フレーム７で通話音声が送信される。
ここで、本例では、１回の通話開始信号で１２８ビットのエラーレート算出用パターン１、２の送信が可能であり、６フレーム（６回）に分けて送信しているが、エラーレート算出用パターン１、２のビット数や通話開始信号を含めるフレームの数としては種々なものが用いられてもよい。
【００２８】
本例の無線通信システムにおいて行われる動作の一例を示す。
無線端末装置１１−１が信号を無線により送信したときには、第１の無線回線５−１を介して第１の非常送無線基地局装置２−１がそれを受信し、また、第２の無線回線５−２を介して第２の非常送無線基地局装置２−２がそれを受信する。
【００２９】
無線端末装置１１−１は、通話開始時に、図２（ａ）に示される通話開始信号を、図２（ｂ）に示されるように、６フレーム（２４０ｍｓ）送出する。
無線端末装置１１−１の通話開始時に、第１の無線回線５−１を介して無線端末装置１１−１からの通話開始信号を受信した第１の非常送無線基地局装置２−１は、受信した全ての通話開始信号に設定されているＰａｔｅｒｎ１及びＰａｔｅｒｎ２からエラーレートを算出して求める。また、第１の非常送無線基地局装置２−１は、受信した全ての通話開始信号の受信電界から平均受信電界を算出して求める。そして、第１の非常送無線基地局装置２−１は、無線端末装置１１−１に関して算出したエラーレート（受信エラーレート）及び平均受信電界を、第１のアプローチ線３−１を介して、回線制御装置１へ通知する。
同様に、第２の無線回線５−２を介して無線端末装置１１−１からの通話開始信号を受信した第２の非常送無線基地局装置２−２においても、エラーレート及び平均受信電界を求めて、第２のアプローチ線３−２を介して、回線制御装置１へ通知する。
【００３０】
回線制御装置１は、第１の非常送無線基地局装置２−１及び第２の非常送無線基地局装置２−２から通知されたエラーレート及び平均受信電界に基づいて、エラーレートが低く且つ平均受信電界が高い非常送無線基地局装置を求めて選択し、当該選択した非常送無線基地局装置により無線端末装置１１−１との通話回線を開設するように制御する。
【００３１】
以上のように、本例では、有線で接続された複数の指令端末装置２１−１〜２１−２、複数の無線端末装置１１−１〜１１−２、無線回線区間を制御する複数の非常送無線基地局装置２−１〜２−２、無線端末装置１１−１〜１１−２との間における通話チャネルの接続を制御する回線制御装置１を有するＳＣＰＣ方式のデジタル無線通信システムにおいて、無線端末装置１１−１〜１１−２が発信したときに、同一の周波数で運用される複数の非常送無線基地局装置２−１〜２−２がそれを受信した場合に、各非常送無線基地局装置２−１〜２−２から受信時の状態（本例では、受信時のエラーレート及び平均受信電界）を回線制御装置１へ通知し、回線制御装置１が通知された受信時の状態から前記発信した無線端末装置１１−１〜１１−２が在圏する（本例では、通信ゾーン４−１〜４−２に存在する）非常送無線基地局装置２−１〜２−２を推定して、推定した非常送無線基地局装置２−１〜２−２で通話回線を開設するように制御する。
【００３２】
このように、本例では、無線端末装置１１−１〜１１−２が通話開始するとき（通話開始時）にエラー検出するための特定のパターンを同時に送信し、非常送無線基地局装置２−１〜２−２がそれを受信したときにエラー検出用パターンからエラーレートを求めてエラーレートの情報と受信電界の情報（本例では、平均受信電界）を回線制御装置１へ通知し、回線制御装置１が各非常送無線基地局装置２−１〜２−２から通知されたエラーレート及び平均受信電界からエラーレートが低く平均受信電界が高い非常送無線基地局装置を選択して当該選択した非常送無線基地局装置で通話回線を開設するように制御する。
【００３３】
従って、本例の無線通信システムにおける基地局選択方式では、非常送無線基地局装置から通知されたエラーレート及び平均受信電界を利用することにより、回線制御装置１により適切な非常送無線基地局装置２−１〜２−２を選択することができ、例えば、従来の課題であった一時的な受信電界の変動による無線基地局装置の選択の誤りを軽減することができる。
【実施例２】
【００３４】
本発明の第２実施例を説明する。
図１に示される無線通信システムを参照して説明する。
本例においても、図２（ａ）、（ｂ）に示されるフォーマットが用いられる。
また、上記した第１実施例で説明した事項と同様な事項（例えば、エラーレートの算出処理や平均受信電界の算出処理など）については、詳しい説明を省略する。
【００３５】
図３には、回線制御装置１内のメモリに記憶された判定テーブルの一例を示してある。
本例の判定テーブルでは、複数（本例では、１番目からＮ番目まで）の非常送無線基地局装置について、エラーレート、受信電界（本例では、平均受信電界）、識別するための番号（基地局番号）、設置場所、の情報が対応付けられて記憶される。
なお、判定テーブルでは、上位から下位への順で、情報が並べられる。
【００３６】
図４には、回線制御装置１内のメモリに記憶された設置場所テーブルの一例を示してある。
本例の設置場所テーブルでは、複数（本例では、１番目からＮ番目まで）の基地局番号について、それぞれ、該当する非常送無線基地局装置の設置場所（本例では、地区１、２、３、Ｋなど）の情報が記憶される。
【００３７】
本例の無線通信システムにおいて行われる動作の一例を示す。
無線端末装置１１−１が信号を無線により送信したときには、第１の無線回線５−１を介して第１の非常送無線基地局装置２−１がそれを受信し、また、第２の無線回線５−２を介して第２の非常送無線基地局装置２−２がそれを受信する。
【００３８】
無線端末装置１１−１は、通話開始時に、図２（ａ）に示される通話開始信号を、図２（ｂ）に示されるように、６フレーム（２４０ｍｓ）送出する。
無線端末装置１１−１の通話開始時に、第１の無線回線５−１を介して無線端末装置１１−１からの通話開始信号を受信した第１の非常送無線基地局装置２−１は、受信した全ての通話開始信号に設定されているＰａｔｅｒｎ１及びＰａｔｅｒｎ２からエラーレートを算出して求める。また、第１の非常送無線基地局装置２−１は、受信した全ての通話開始信号の受信電界から平均受信電界を算出して求める。そして、第１の非常送無線基地局装置２−１は、無線端末装置１１−１に関して算出したエラーレート（受信エラーレート）及び平均受信電界を、第１のアプローチ線３−１を介して、回線制御装置１へ通知する。
同様に、第２の無線回線５−２を介して無線端末装置１１−１からの通話開始信号を受信した第２の非常送無線基地局装置２−２においても、エラーレート及び平均受信電界を求めて、第２のアプローチ線３−２を介して、回線制御装置１へ通知する。
【００３９】
回線制御装置１は、第１の非常送無線基地局装置２−１及び第２の非常送無線基地局装置２−２から通知されたエラーレート及び平均受信電界に基づいて、エラーレートが低く且つ平均受信電界が高い非常送無線基地局装置の順番で、図３に示されるような判定テーブルの該当情報を作成して記憶する。
ここで、本例では、エラーレートが低い方から上位とし、また、エラーレートが同じ場合には、平均受信電界が高い非常送無線基地局装置を上位とし、また、エラーレートも平均受信電界も同じ場合には、基地局番号が小さい非常送無線基地局装置を優先させて上位とする。
【００４０】
また、回線制御装置１は、図４に示される設置場所テーブルを参照して、基地局番号から対応する非常送無線基地局装置の設置場所を読み出して判定テーブルに設定し、そして、これとともに、非常送無線基地局装置の設置場所が同一のものが上位になるように判定テーブルのソート（並び替え）を行う。
そして、回線制御装置１は、完成した判定テーブルを上位から参照して、最も上位にある情報に対応する非常送無線基地局装置により無線端末装置１１−１との通話回線を開設するように制御する。
【００４１】
図５及び図６を参照して、具体例を示す。
図５には、判定テーブルの作成条件の一例として、基地局マップ情報の一例を示してある。
本例の基地局マップ情報では、複数（本例では、１番目から８番目まで）の基地局番号について、それぞれ、該当する非常送無線基地局装置について、設置場所、エラーレート、受信電界（本例では、平均受信電界）、の情報が記憶されている。
図６には、図５に示される判定テーブルの作成条件から作成される判定テーブルの使用例（判定結果の例）を示してある。
本例の使用例では、図５に示される複数（本例では、１番目から８番目まで）の基地局番号について、上位から下位への順で並び替えられている。
本例の判定テーブルでは、回線制御装置１は、最も上位にある基地局番号３に対応した非常送無線基地局装置で通話を開設するように制御する。
【００４２】
このように、本例では、選択するのに良好であるとみなされる非常送無線基地局装置から順に管理される判定テーブルを設けている。また、判定テーブルを画面などに表示などする場合には、その良好な順で情報が表示などされる。
また、本例では、非常送無線基地局装置のマップ情報を作成して、当該マップ情報を用いて非常送無線基地局装置のエリア（例えば、地区など）の管理を行うことも可能である。
【００４３】
以上のように、本例では、有線で接続された複数の指令端末装置２１−１〜２１−２、複数の無線端末装置１１−１〜１１−２、無線回線区間を制御する複数の非常送無線基地局装置２−１〜２−２、無線端末装置１１−１〜１１−２との間における通話チャネルの接続を制御する回線制御装置１を有するＳＣＰＣ方式のデジタル無線通信システムにおいて、無線端末装置１１−１〜１１−２が発信したときに、同一の周波数で運用される複数の非常送無線基地局装置２−１〜２−２がそれを受信した場合に、各非常送無線基地局装置２−１〜２−２から受信時の状態（本例では、受信時のエラーレート及び平均受信電界）を回線制御装置１へ通知し、回線制御装置１が通知された受信時の状態を内部のテーブル（本例では、図３に示される判定テーブル）に順位付けをしながら蓄積し、蓄積した情報から前記発信した無線端末装置１１−１〜１１−２が在圏する（本例では、通信ゾーン４−１〜４−２に存在する）非常送無線基地局装置２−１〜２−２を推定して、推定した非常送無線基地局装置２−１〜２−２で通話回線を開設するように制御する。
【００４４】
このように、本例では、無線端末装置１１−１〜１１−２が通話開始するとき（通話開始時）にエラー検出するための特定のパターンを同時に送信し、非常送無線基地局装置２−１〜２−２がそれを受信したときにエラー検出用パターンからエラーレートを求めてエラーレートの情報と受信電界の情報（本例では、平均受信電界）を回線制御装置１へ通知し、回線制御装置１が、各非常送無線基地局装置２−１〜２−２から通知されたエラーレート及び平均受信電界からエラーレートが低く平均受信電界が高い非常送無線基地局装置が上位になるように受信情報などを判定テーブルに蓄積し、当該判定テーブルの上位に蓄積された情報に対応した非常送無線基地局装置を選択して当該選択した非常送無線基地局装置で通話回線を開設するように制御する。
【００４５】
従って、本例の無線通信システムにおける基地局選択方式では、非常送無線基地局装置から通知されたエラーレート及び平均受信電界を利用することにより、回線制御装置１により適切な非常送無線基地局装置２−１〜２−２を選択することができ、例えば、従来の課題であった一時的な受信電界の変動による無線基地局装置の選択の誤りを軽減することができる。
【００４６】
上述のように、本例では、エラーレートを主として比較し、エラーレートが同じ場合には受信電界（本例では、平均受信電界）を比較している。つまり、受信電界は補助的な情報として扱っている。
また、本例では、エラーレート及び受信電界の比較判断は、回線制御装置１において、情報が集まって、行われる。
また、比較した結果、全く同じ値であることを考慮して、一例として、予め各非常送無線基地局装置に優先順位を付けておいて、若い番号順などに選択する、などのルールを決めておくこともできる。
【００４７】
他の一例として、予め各非常送無線基地局装置をグループ（エリア）分けしておいて、所属する非常送無線基地局装置が多いグループ（エリア）、或いは、比較結果が良好な非常送無線基地局装置が多いグループ（エリア）、を優先的に絞り込むようにすることもできる。
非常送無線基地局装置の選択の基準として、例えば、多くの非常送無線基地局装置の比較結果（受信状態）が良好であるエリアが通話開始する無線端末装置から最も近いエリアであると判断して選択する態様や、或いは、使用していないエリアを優先的に選択する態様などが可能である。
【００４８】
ここで、本例の無線通信システムの構成例（構成例１）〜（構成例４）を示しておく。
（構成例１）通話チャネルの接続を制御する回線制御装置１と、前記回線制御装置１に接続された複数の非常送無線基地局装置２−１〜２−２と、前記非常送無線基地局装置２−１〜２−２と無線通信を行う複数の無線端末装置１１−１〜１１−２と、前記回線制御装置１に接続された複数の指令端末装置２１−１〜２１−２と、を備え、
前記複数の非常送無線基地局装置２−１〜２−２で所定の周波数の信号を受信した場合に、前記複数の非常送無線基地局装置２−１〜２−２から前記回線制御装置１に通知されたエラーレートを基に、当該エラーレートが低い順に並べたテーブル（本例では、判定テーブル）が作成され、当該テーブルより、前記無線端末装置１１−１〜１１−２が在圏する適切な非常送無線基地局装置２−１〜２−２を選択して通話回線を開設する。
【００４９】
（構成例２）最も低いエラーレートを有する非常送無線基地局装置２−１〜２−２が複数存在する場合には、受信電界を比較して選択する。
（構成例３）非常送無線基地局装置２−１〜２−２に予め通し番号を設定しておき、最も低いエラーレート且つ最も強い（高い）受信電界を有する非常送無線基地局装置２−１〜２−２が複数存在する場合には、最も小さい番号を有する非常送無線基地局装置を選択する。
（構成例４）最も低いエラーレートを有する非常送無線基地局装置２−１〜２−２が複数存在する場合には、最も多く非常送無線基地局装置２−１〜２−２が存在する設置場所内のどれか一方の非常送無線基地局装置を選択する。
【００５０】
なお、本例の無線端末装置１１−１〜１１−２では、通信開始信号（本例では、通話開始信号）を送信する機能により通信開始信号送信手段が構成されている。
また、本例の非常送無線基地局装置２−１〜２−２では、通信開始信号を受信する機能により通信開始信号受信手段が構成されており、エラーレートを検出する機能によりエラーレート検出手段が構成されており、受信電界を検出する機能により受信電界検出手段が構成されており、エラーレートの情報や受信電界の情報を回線制御装置１へ送信（通知）する機能により受信情報送信手段が構成されている。
また、本例の回線制御装置１では、非常送無線基地局装置２−１〜２−２からエラーレートの情報や受信電界の情報を受信する機能により情報受信手段が構成されており、各非常送無線基地局装置２−１〜２−２の識別番号（本例では、基地局番号）の情報を記憶する機能により識別番号記憶手段が構成されており、各非常送無線基地局装置２−１〜２−２の設置場所の情報を記憶する機能により設置場所記憶手段が構成されており、所定のテーブル（本例では、判定テーブル）を作成する機能によりテーブル作成手段が構成されており、テーブルの内容に基づいて適切な非常送無線基地局装置（本例では、最も上位の非常送無線基地局装置）により無線端末装置との通信を開始させる制御を行う機能により回線制御手段が構成されている。
【００５１】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００５２】
１・・回線制御装置、  ２−１〜２−２・・非常送無線基地局装置、  ３−１〜３−２・・アプローチ線、  ４−１〜４−２・・通信ゾーン、  ５−１〜５−２・・無線回線、  １１−１〜１１−２・・無線端末装置、  ２１−１〜２１−２・・指令端末装置、  ２２−１〜２２−２・・有線回線、
【図１】
2011071703.tif 000003
【図２】
2011071703.tif 000004
【図３】
2011071703.tif 000005
【図４】
2011071703.tif 000006
【図５】
2011071703.tif 000007
【図６】
2011071703.tif 000008